(57)【要約】【課題】開閉部を閉じた状態で防災装置の状態を対象空間の外部に対して表示可能とする点検ボックスを提供すること。【解決手段】  非透過性の壁９００で隔てられたＥＬＶシャフト内に設置されている感知器８００を点検するための点検ボックス１であり、壁９００に設けられている点検ボックス１であって、ＥＬＶシャフトの内外を連通する壁９００の壁側開口部９０１に設けられる本体部１１であって、ＥＬＶシャフトの内外を連通する点検側開口部１１２を備える本体部１１と、点検側開口部１１２を開閉する扉部１３と、扉部１３が閉じている場合に、感知器８００の状態を、ＥＬＶシャフトの外部に対して視認可能にするガラス部１３３と、を備える。【選択図】図４
2020015564.tif 000002
【特許請求の範囲】
【請求項１】
非透過性の壁で隔てられた対象空間に設置されている防災装置を点検するための点検ボックスであり、前記壁に設けられている前記点検ボックスであって、
前記対象空間の内外を連通する前記壁の壁側開口部に設けられる本体部であって、前記対象空間の内外を連通する点検側開口部を備える前記本体部と、
前記点検側開口部を開閉する開閉部と、
前記開閉部が閉じている場合に、前記防災装置の状態を、前記対象空間の外部に対して表示する状態表示手段と、
を備える点検ボックス。
【請求項２】
前記状態表示手段は、前記防災装置の外観の少なくとも一部である視認対象を、前記対象空間の外部に対して視認可能にする視認可能手段、を備える、
請求項１に記載の点検ボックス。
【請求項３】
前記視認可能手段は、透過性の透過領域であって前記開閉部に設けられている前記透過領域、を備える、
請求項２に記載の点検ボックス。
【請求項４】
前記視認対象の位置を表示する表示手段、を備える、
請求項２又は３に記載の点検ボックス。
【請求項５】
前記視認可能手段は、前記視認対象を拡大して視認可能にする、
請求項２から４の何れか一項に記載の点検ボックス。
【請求項６】
前記視認対象を照らす照明手段、を備える、
請求項２から５の何れか一項に記載の点検ボックス。
【請求項７】
前記視認可能手段を清掃する清掃手段、を備える、
請求項２から６の何れか一項に記載の点検ボックス。
【請求項８】
前記防災装置を設置するための設置手段であって、前記防災装置の設置方向を変更自在とする前記設置手段、を備える、
請求項２から７の何れか一項に記載の点検ボックス。
【請求項９】
前記視認対象の鏡像を映す反射手段、を備え、
前記視認可能手段は、前記反射手段に映っている前記視認対象の鏡像を視認可能にする、
請求項２から８の何れか一項に記載の点検ボックス。
【請求項１０】
前記視認可能手段を隠蔽又は露出させる隠蔽露出手段、を備える、
請求項２から９の何れか一項に記載の点検ボックス。
【請求項１１】
前記状態表示手段は、前記開閉部に設けられている室外表示灯、を備え、
前記室外表示灯は、前記防災装置の状態を発光にて表示する、
請求項１から１０の何れか一項に記載の点検ボックス。
【発明の詳細な説明】
【技術分野】
【０００１】
本発明は、点検ボックスに関する。
【背景技術】
【０００２】
従来、エレベーターシャフトに感知器を設置し、当該感知器を点検するための装置として、感知器点検装置が知られていた（例えば、特許文献１参照）。この感知器点検装置においては、中空部分を有する本体部と、当該本体部の中空部分を開閉する開閉扉とを備えて構成されており、エレベーターシャフトの内外を隔てる壁の開口部に、前述の本体部を設置して用いられていた。
【先行技術文献】
【特許文献】
【０００３】
【特許文献１】特開２０１５−６９５３号公報
【発明の概要】
【発明が解決しようとする課題】
【０００４】
ところで、感知器を点検（特に、外観を目視確認する点検等）する場合、感知器を視認等する必要があるが、この場合、感知器点検装置の開閉扉を開放して点検を行っていた。
【０００５】
しかしながら、一般的に、感知器点検装置の開閉扉と、エレベーターシャフトにおけるエレベーターとは相互に連動しており、当該開閉扉を開放した場合、エレベーターが急停止するように構成されていたので、前述の点検を行うためには、予めエレベーターを停止させた上で作業を行う必要があり、手間となっていた。
【０００６】
また、感知器点検装置の開閉扉は関係者以外に開閉させないため、専用工具によって開閉する構造になっているが、そのため、関係者であっても事前の専用工具の準備なしに感知器点検装置を開閉できず、また、感知器点検装置も屋根裏や壁面の高位置など通常はアクセスしない場所に設けられるため、内部に設置された感知器の確認に手間が掛かっていた。
【０００７】
本発明は上記問題に鑑みてなされたもので、開閉部を閉じた状態で防災装置の状態を対象空間の外部に対して表示可能とする点検ボックスを提供することを目的とする。
【課題を解決するための手段】
【０００８】
上述した課題を解決し、目的を達成するために、請求項１に記載の点検ボックスは、非透過性の壁で隔てられた対象空間に設置されている防災装置を点検するための点検ボックスであり、前記壁に設けられている前記点検ボックスであって、前記対象空間の内外を連通する前記壁の壁側開口部に設けられる本体部であって、前記対象空間の内外を連通する点検側開口部を備える前記本体部と、前記点検側開口部を開閉する開閉部と、前記開閉部が閉じている場合に、前記防災装置の状態を、前記対象空間の外部に対して表示する状態表示手段と、を備える。
【０００９】
また、請求項２に記載の点検ボックスは、請求項１に記載の点検ボックスにおいて、前記状態表示手段は、前記防災装置の外観の少なくとも一部である視認対象を、前記対象空間の外部に対して視認可能にする視認可能手段、を備える。
【００１０】
また、請求項３に記載の点検ボックスは、請求項２に記載の点検ボックスにおいて、前記視認可能手段は、透過性の透過領域であって前記開閉部に設けられている前記透過領域、を備える。
【００１１】
また、請求項４に記載の点検ボックスは、請求項２又は３に記載の点検ボックスにおいて、前記視認対象の位置を表示する表示手段、を備える。
【００１２】
また、請求項５に記載の点検ボックスは、請求項２から４の何れか一項に記載の点検ボックスにおいて、前記視認可能手段は、前記視認対象を拡大して視認可能にする。
【００１３】
また、請求項６に記載の点検ボックスは、請求項２から５の何れか一項に記載の点検ボックスにおいて、前記視認対象を照らす照明手段、を備える。
【００１４】
また、請求項７に記載の点検ボックスは、請求項２から６の何れか一項に記載の点検ボックスにおいて、前記視認可能手段を清掃する清掃手段、を備える。
【００１５】
また、請求項８に記載の点検ボックスは、請求項２から７の何れか一項に記載の点検ボックスにおいて、前記防災装置を設置するための設置手段であって、前記防災装置の設置方向を変更自在とする前記設置手段、を備える。
【００１６】
また、請求項９に記載の点検ボックスは、請求項２から８の何れか一項に記載の点検ボックスにおいて、前記視認対象の鏡像を映す反射手段、を備え、前記視認可能手段は、前記反射手段に映っている前記視認対象の鏡像を視認可能にする。
【００１７】
また、請求項１０に記載の点検ボックスは、請求項２から９の何れか一項に記載の点検ボックスにおいて、前記視認可能手段を隠蔽又は露出させる隠蔽露出手段、を備える。
【００１８】
また、請求項１１に記載の点検ボックスは、請求項１から１０の何れか一項に記載の点検ボックスにおいて、前記状態表示手段は、前記開閉部に設けられている室外表示灯、を備え、前記室外表示灯は、前記防災装置の状態を発光にて表示する。
【発明の効果】
【００１９】
請求項１に記載の点検ボックスによれば、開閉部が閉じている場合に、防災装置の状態を、対象空間の外部に対して表示にすることにより、例えば、開閉部を開放することなく防災装置の状態を対象空間の外部に対して表示することが可能となる。特に、例えば、開閉部を開放した場合にエレベーターが停止するように構成されている場合においても、エレベーターを停止することなく防災装置の状態を視認することが可能となる。また、例えば、点検確認時に点検ボックスの開閉のための専用工具なしに確認可能となり、点検の効率化を図ることが可能となる。
【００２０】
請求項２に記載の点検ボックスによれば、防災装置の外観の少なくとも一部である視認対象を、対象空間の外部に対して視認可能にすることにより、例えば、開閉部を開放することなく視認対象を視認することができ、防災装置を実際に視認させることが可能となる。
【００２１】
請求項３に記載の点検ボックスによれば、視認可能手段が透過性の透過領域であって開閉部に設けられている透過領域であることにより、例えば、視認可能手段を介して視認対象を直接的に視認することが可能となる。
【００２２】
請求項４に記載の点検ボックスによれば、視認対象の位置を表示することにより、例えば、視認対象を探す手間を省略することができ、視認対象を一瞥して視認することが可能となる。
【００２３】
請求項５に記載の点検ボックスによれば、視認対象を拡大して視認可能にすることにより、例えば、視認対象の視認性を向上させることが可能となる。
【００２４】
請求項６に記載の点検ボックスによれば、視認対象を照らすことにより、例えば、視認対象の周囲を明るくすることができ、視認対象の視認性を向上させることが可能となる。
【００２５】
請求項７に記載の点検ボックスによれば、視認可能手段を清掃することにより、例えば、視認可能手段に付着している塵埃を取り除くことができ、視認対象の視認性を向上させることが可能となる。
【００２６】
請求項８に記載の点検ボックスによれば、防災装置の設置方向を変更自在とすることにより、例えば、防災装置における視認対象を視認可能手段側に向けることができ、視認対象を確実に視認させることが可能となる。
【００２７】
請求項９に記載の点検ボックスによれば、反射手段に映っている視認対象の鏡像を視認可能にすることにより、例えば、視認対象を確実に視認させることが可能となる。特に、例えば、視認可能手段を介して視認対象を直接的に視認することが困難である場合であっても、当該視認対象の鏡像を映すことにより、当該視認対象を視認させることが可能となる。
【００２８】
請求項１０に記載の点検ボックスによれば、視認可能手段を隠蔽又は露出させることにより、例えば、視認対象を視認させるか否かを選択することができるので、セキュリティを向上させることが可能となる。
【００２９】
請求項１１に記載の点検ボックスによれば、開閉部に設けられている室外表示灯が、防災装置の状態を発光にて表示することにより、例えば、室外表示灯を一瞥して防災装置の状態を確認することが可能となる。また、発光にて表示することにより、例えば、点検ボックスが比較的暗い場所に設置されている場合であっても、防災装置の状態を確実に確認することが可能となる。
【図面の簡単な説明】
【００３０】
【図１】本実施の形態に係る点検ボックスの正面図である。
【図２】点検ボックスの平面図である。
【図３】点検ボックスの側面図である。
【図４】図１のＡ−Ａ矢印が指し示す方向から見た点検ボックスの断面図である。
【図５】図４の一部の拡大断面図である。
【図６】扉部を開いた状態の点検ボックスの平面図である。
【図７】変形例の点検ボックスの正面図である。
【００３１】
以下に、本発明に係る点検ボックスの実施の形態を図面に基づいて詳細に説明する。なお、この実施の形態によりこの発明が限定されるものではない。
【００３２】
〔実施の形態の基本的概念〕
まずは、実施の形態の基本的概念について説明する。実施の形態は、概略的に、点検ボックスに関するものである。
【００３３】
ここで、「点検ボックス」とは、非透過性の壁で隔てられた対象空間に設置されている防災装置を点検するため装置であって、壁に設けられている装置であり、具体的には、防災装置の点検を行うために用いられる装置であり、例えば、本体部、開閉部、及び状態表示手段を備え、任意で、表示手段、照明手段、清掃手段、設置手段、反射手段、及び隠蔽露出手段を備えるものである。
【００３４】
また、「対象空間」とは、防災装置が設置されている空間であり、具体的には、非透過性の壁で遮られて、当該対象空間の外部から視認不可能となっている空間であり、例えば、人又は物を載せて昇降するエレベーターシャフトの内部空間、及び機械式立体駐車場の車両を駐車する内部空間等を含む概念である。
【００３５】
また、「防災装置」とは、防災のために用いられる装置であり、例えば、対象空間の火災又はガス漏れ等を検出する火災感知器、煙感知器、熱感知器、及びガス感知器等を含む概念である。
【００３６】
また、「本体部」とは、対象空間の内外を連通する壁の壁側開口部に設けられる部分であり、また、「開閉部」とは、点検側開口部を開閉する部分であり、具体的には、非透過性のものである。
【００３７】
また、「状態表示手段」とは、開閉部が閉じている場合に、防災装置の状態を、対象空間の外部に対して表示する手段であり、例えば、視認可能手段又は室外表示灯のうちの少なくとも一方、あるいは、両方を備える手段である。なお、「防災装置の状態」とは、防災装置のありさまであり、具体的には、ユーザによって把握されるありさまであり、例えば、防災装置の外観の少なくとも一部である視認対象等を含む概念であり、また、防災装置の外観に関わらず当該防災装置の動作のありさま等を含む概念である。また、「表示する」とは、例えば、表すことであり、一例としては、防災装置の状態を視認可能にすること、あるいは、防災装置の状態に対応する対象（例えば、光、テキスト情報、又は画像情報等）を視認可能にすること等を含む概念である。
【００３８】
また、「視認可能手段」とは、防災装置の外観の少なくとも一部である視認対象を、防災装置の状態として表示する手段であり、例えば、開閉部が閉じている場合に、防災装置の外観の少なくとも一部である視認対象を、対象空間の外部に対して視認可能にする手段であり、具体的には、視認対象を対象空間の外部から直接的に視認可能にする手段、及び視認対象を対象空間の外部から直接的に視認可能にする手段等を含む概念である。なお、「視認対象」とは、ユーザが視認する対象となるものであり、例えば、火災感知器、煙感知器、熱感知器、及びガス感知器各々の外観の全部又は一部等を含む概念であり、一例としては、火災感知器、煙感知器、熱感知器、及びガス感知器各々の表示灯等を含む概念である。また、「視認対象を対象空間の外部から直接的に視認可能にする」とは、例えば、視認対象の実物を視認可能にすること等を含む概念であり、また、「視認対象を対象空間の外部から間接的に視認可能にする」とは、例えば、視認対象の像を視認可能にすること等を含む概念であり、一例としては、後述する反射手段に映っている視認対象の鏡像を視認可能にすること等を含む概念である。
【００３９】
また、「視認可能手段」とは、例えば、透過性の透過領域であって開閉部に設けられている透過領域であり、一例としては、開口部及び当該開口部を覆う透明又は半透明のガラス又は樹脂等を含む概念である。なお、ここでの「透明又は半透明のガラス又は樹脂等」については、任意の機能を兼ねるように構成することができ、例えば、視認対象を拡大して視認可能にする拡大レンズの如き機能を兼ねるように構成してもよい。また、「視認可能手段」とは、例えば、対象空間の内部の視認対象を撮像する撮像手段（一例としては、カメラ等）と、当該撮像手段が撮像した画像を表示する画像表示手段（一例としては、ディスプレイ）とを備える画像システム等を含む概念である。また、「視認可能手段」とは、例えば、後述する反射手段に映っている視認対象の鏡像を視認可能にするもの等を含む概念である。
【００４０】
また、「表示手段」とは、視認対象の位置を表示する手段であり、また、「照明手段」とは、視認対象側を照らす手段であり、また、「清掃手段」とは、視認可能手段を清掃する手段であり、また、「設置手段」とは、防災装置を設置するための手段であって、防災装置の設置方向を変更自在とする手段であり、また、「反射手段」とは、視認対象の鏡像を映す手段であり、また、「隠蔽露出手段」とは、視認可能手段を隠蔽又は露出させる手段である。
【００４１】
また、「室外表示灯」とは、防災装置の状態を発光にて表示する発光表示手段であり、具体的には、点検ボックスの開閉部に設けられているものである。
【００４２】
そして、以下の実施の形態においては、「状態表示手段」が視認可能手段を備えており、「対象空間」がエレベーターシャフトの内部空間であり、「視認対象」が火災感知器の表示灯であり、「点検ボックス」が本体部、開閉部、及び視認可能手段を備えている場合について説明し、表示手段、照明手段、清掃手段、設置手段、反射手段、及び隠蔽露出手段については、変形例にて説明する。
【００４３】
（構成）
まず、本実施の形態に係る点検ボックスの構成について説明する。図１は、本実施の形態に係る点検ボックスの正面図であり、図２は、点検ボックスの平面図であり、図３は、点検ボックスの側面図であり、図４は、図１のＡ−Ａ矢印が指し示す方向から見た点検ボックスの断面図であり、図５は、図４の一部の拡大断面図であり、図６は、扉部を開いた状態の点検ボックスの平面図である。なお、図２、図３、及び図６については、説明の便宜上、壁９００の図示が省略されている。
【００４４】
なお、以下の説明では、各図に示すＸ―Ｙ―Ｚが互いに直交する方向であり、具体的には、Ｚ方向が鉛直方向（つまり、重力が働く方向）であって、Ｘ方向及びＹ方向が鉛直方向に対して直交する水平方向であるものとして、例えば、Ｚ方向を高さ方向と称し、＋Ｚ方向を上側（平面）と称し、−Ｚ方向を下側（底面）と称して説明する。
【００４５】
これら各図に示す点検ボックス１は、図４の壁９００で隔てられた対象空間（エレベーターシャフト（ＥＬＶシャフト）内）に設置されている感知器８００を点検するための装置であり、例えば、本体部１１、前面部１２、及び扉部１３を備える。
【００４６】
なお、壁９００は、エレベーターシャフトの内外を隔てる壁であり、具体的には、非透過性の壁であり、例えば、貫通している開口部である壁側開口部９０１を備えるものである。
【００４７】
（構成‐本体部）
本体部１１は、壁９００の壁側開口部９０１に設けられるものであり、例えば、外形が全体的に矩形柱形状であるものであり、また、金属製のものであり、一例としては、支持部１１１、及び点検側開口部１１２を備える。
【００４８】
（構成‐本体部‐支持部）
支持部１１１は、感知器８００を支持する支持手段であり、例えば、任意の固定手段を用いて本体部１１に取りつけられているものであり、また、水平支持部１１１ａ及び垂直支持部１１１ｂを備える。なお、支持部１１１を本体部１１に取り付ける具体的な取付手法は任意であり、例えば、取付ブラケットを用いる手法等の公知の手法を適用することができるので、具体的な取付手法に関する構成については、説明の便宜、不図示とし説明を省略する。
【００４９】
水平支持部１１１ａは、水平方向（ＸＹ平面に平行な方向）において延在しているものであり、また、一端に感知器８００を取り付けるための取付手段である取付ベース８０２が取り付けられているものであり、また、他端が垂直支持部１１１ｂに支持されているものであり、また、垂直支持部１１１ｂを基準軸に水平方向において回動するものである。
【００５０】
垂直支持部１１１ｂは、垂直方向（Ｚ方向）において延在しているものであり、また、水平支持部１１１ａを回動させる基準軸として機能するものである。
【００５１】
点検側開口部１１２は、ＥＬＶシャフトの内外を連通する部分であり、例えば、本体部１１の貫通している内部空間の部分である。
【００５２】
（構成‐本体部‐前面部）
前面部１２は、本体部１１の正面側（−Ｙ方向）から点検側開口部１１２の少なくとも一部を覆っているものであり、例えば、任意の手段（例えば、溶接等）にて本体部１１に固定されているものであり、また、外形が全体的に矩形形状のものであり、また、金属製のものであり、一例としては、図５の前面側開口部１２１を備える。
【００５３】
前面側開口部１２１は、前面部１２に設けられている開口の部分であり、例えば、点検側開口部１１２に連通する部分である。
【００５４】
（構成‐本体部‐扉部）
図４の扉部１３は、前面側開口部１２１（つまり、点検側開口部１１２）を開閉する開閉部であり、例えば、図１の丁番１３１を軸に開閉するように当該丁番１３１により前面部１２に取り付けられているものであり、また、外形が全体的に矩形形状であるものであり、また、金属製のものであり、一例としては、図５の扉側開口部１３２、ガラス部１３３、及び図１のロック部１３４を備える。
【００５５】
図５の扉側開口部１３２は、視認可能手段であり、具体的には、透過性の透過領域であって扉部１３に形成されている部分であり、また、扉部１３に設けられている開口の部分である。この扉側開口部１３２の具体的な種類や構成は任意であるが、例えば、矩形形状であり、また、感知器８００を設置した場合に当該感知器８００の表示灯８０１を、当該扉側開口部１３２を介して視認できる位置に設けられている。なお、「表示灯」８０１とは、感知器８００において光を出力する部分であり、例えば、感知器８００の動作状態等を示す情報を出力する部分であり、また、ＬＥＤ等の任意の光源を備えて構成することができる部分である。
【００５６】
ガラス部１３３は、視認可能手段であり、具体的には、透過性の透過領域であって扉部１３に設けられているものである。このガラス部１３３の具体的な種類や構成は任意であるが、例えば、扉側開口部１３２により大径の矩形板形状ものであり、また、ＥＬＶシャフト内側（＋Ｙ方向）からＥＬＶシャフト外側（−Ｙ方向）に向かって、扉部１３における扉側開口部１３２の周辺に、ガラス側取付具４１及びガラス側固定具４２を用いて、押し付けられて取付けられているものであり、また、耐火性を有する透明なガラスである。
【００５７】
ガラス側取付具４１は、ガラス部１３３を取り付ける取付手段であり、例えば、図１では隠れており不図示であるが、ガラス部１３３の４辺の周辺に合計４個設けられているものであり、また、全体としては折れ曲がっている形状のものであり、また、図５の前面部１２（より詳細には扉部１３）の一部と当該ガラス側取付具４１との間でガラス部１３３を挟む第１端部４１１、及び扉部１３に固定される第２端部４１２を備えるものである。
【００５８】
ガラス側固定具４２は、ガラス部１３３を取り付ける取付手段であり、例えば、ガラス側取付具４１の第２端部４１２を扉部１３に対して固定するものであり、また、扉部１３からＥＬＶシャフト内側（＋Ｙ方向）に向かって突出するボルト部と当該ボルト部と螺合するナット部とを備えるものである。そして、ガラス側取付具４１における第２端部４１２の不図示の挿通孔をガラス側固定具４２のボルト部に挿通した上で、当該ボルト部に対してナット部を螺合させることによりガラス側取付具４１を固定することが可能となる。
【００５９】
図１のロック部１３４は、扉部１３の開閉を許可したり禁止したり許可禁止手段である。このロック部１３４は、従来と同様にして構成することができるので、概要のみ説明する。このロック部１３４は、不図示の開閉工具を用いて操作部１３４ａを操作（例えば、回動操作等）して、当該操作部１３４ａを軸に回動させることにより、扉部１３の開閉を許可したり禁止したりするものである。
【００６０】
（使用方法）
次に、このように構成された点検ボックス１の使用方法について説明する。ここでは、例えば、感知器８００を取り出して当該感知器８００の点検を行う場合を例示して説明する。
【００６１】
まず、不図示の開閉工具を用いて図１の操作部１３４ａを操作することにより、扉部１３の開閉を許可した上で、図６に示すように、扉部１３を開いた上で、支持部１１１を回動させて感知器８００を手前側（−Ｙ方向）に近付ける。次に、感知器８００を図３の取付ベース８０２から取り外した上で、当該感知器８００の点検を行う。
【００６２】
次に、感知器８００を取付ベースに取り付けた上で、図３又は図４に示すように、支持部１１１を回動させて感知器８００を奥側（＋Ｙ方向）に遠ざけて設置する。次に、扉部１３を閉じた上で、不図示の開閉工具を用いて図１の操作部１３４ａを操作することにより、扉部１３の開閉を禁止する。これにて、点検ボックス１の使用方法の説明を終了する。
【００６３】
（状態確認）
次に、感知器８００の状態確認について説明する。点検ボックス１の扉部１３を開いた場合に当該点検ボックス１が設けられているＥＬＶシャフトのエレベーターが停止するように構成されているが、本実施の形態の点検ボックス１は、ガラス部１３３を介して感知器８００の表示灯８０１を視認することができるので、扉部１３を閉じた状態のままでＥＬＶシャフト内を視認することができ、エレベーターが停止することを考慮せずに感知器８００の状態を確認することが可能となる。
【００６４】
（実施の形態の効果）
このように本実施の形態によれば、扉部１３が閉じている場合に、感知器８００の外観の少なくとも一部である表示灯８０１を、ＥＬＶシャフト外に対して視認可能にすることにより、例えば、扉部１３を開放することなく表示灯８０１を視認することが可能となる。特に、例えば、扉部１３を開放した場合にエレベーターが停止するように構成されている場合においても、エレベーターを停止することなく表示灯８０１を視認することが可能となる。
【００６５】
また、扉側開口部１３２及びガラス部１３３（特に、ガラス部１３３）が透過性の透過領域であって扉部１３に設けられている透過領域であることにより、例えば、ガラス部１３３を介して表示灯８０１を直接的に視認することが可能となる。
【００６６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６７】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００６８】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００６９】
（表示部について）
また、上記実施の形態の点検ボックス１に表示部を設けてもよい。「表示部」とは、前述の表示手段である。この表示部の具体的な種類や構成は任意であり、例えば、図１のガラス部１３３に感知器８００の表示灯８０１の位置を表示する目印（例えば、矢印型シール、ドーナツ型シール、有色透明シール等）を表示部として貼付してもよい。このように構成した場合、表示灯８０１の位置を表示することにより、例えば、表示灯８０１を探す手間を省略することができ、表示灯８０１を一瞥して視認することが可能となる。
【００７０】
（レンズ部について）
また、上記実施の形態の点検ボックス１のガラス部１３３の一部又は全部を、ＥＬＶシャフト内を拡大して視認可能するように拡大レンズ（レンズ部）として構成してもよい。詳細には、例えば、感知器８００の表示灯８０１を拡大して視認可能にするように構成してもよい。このように構成した場合、表示灯８０１を拡大して視認可能にすることにより、例えば、表示灯８０１の視認性を向上させることが可能となる。
【００７１】
（照明部について）
また、上記実施の形態の点検ボックス１に照明部を設けてもよい。「照明部」とは、前述の照明手段である。この照明部の具体的な種類や構成は任意であるが、例えば、感知器８００の表示灯８０１自体又は当該表示灯８０１の周辺を照らする光源（例えば、ＬＥＤ等）を照明部として用いてもよい。詳細には、手動スイッチにてオンオフできるように照明部を構成してもよいし、あるいは、ガラス部１３３を介してＥＬＶシャフト内をのぞき込むユーザを検出する検出センサを設けて、この検出センサがユーザを検出した場合に光源を点灯し、一方、ユーザを検出しない場合に光源を消灯するように構成してもよい。なお、実施の形態で説明したように、視認対象が表示灯８０１である場合も照明部を設けることが有効であるが、例えば、視認対象が自ら光を出力しない対象（例えば、感知器８００の煙の入口部分等）である場合にも、照明部を設けることが有効である。このように構成した場合、表示灯８０１を照らすことにより、例えば、表示灯８０１の周囲を明るくすることができ、表示灯８０１の視認性を向上させることが可能となる。
【００７２】
（清掃部について）
また、上記実施の形態の点検ボックス１に清掃部を設けてもよい。「清掃部」とは、前述の清掃手段である。この清掃部の具体的な種類や構成は任意であるが、例えば、本体部１１の内部に設けられているワイパーであって、ガラス部１３３におけるＥＬＶシャフト内側（＋Ｙ方向）の面を拭き掃除するワイパーを清掃部として用いてもよい。このように構成した場合、ガラス部１３３を清掃することにより、例えば、ガラス部１３３に付着している塵埃を取り除くことができ、視認対象の視認性を向上させることが可能となる。
【００７３】
（設置部について）
また、上記実施の形態の点検ボックス１に設置部を設けてもよい。「設置部」とは、前述の設置手段である。この設置部の具体的な種類や構成は任意であるが、例えば、図３の取付ベース８０２と支持部１１１との間に設けられるターンテーブルであって、取付ベース８０２（つまり、感知器８００）を支持部１１１に対して回転可能にするターンテーブルを設置手段として用いてもよい。なお、このターンテーブルについては、ユーザが操作することにより任意の位置で回転を固定する固定手段（公知の技術にて実現される任意の構造）が設けられており、この固定手段にて任意の回転角度で固定できるように構成してもよい。また、このターンテーブルについては、モーター等を用いて電動で回転可能としてもよく、例えば、操作スイッチ等と連動させて、当該操作スイッチにて回転及び停止（固定）を制御するように構成してもよい。なお、この設置部の機能を取付ベース８０２に組み込んでもよい。このように構成した場合、感知器８００の設置方向を変更自在とすることにより、例えば、感知器８００における表示灯８０１をガラス部１３３側に向けることができ、表示灯８０１を確実に視認させることが可能となる。
【００７４】
（反射部について）
また、上記実施の形態の点検ボックス１に反射部を設けてもよい。「反射部」とは、前述の反射手段である。この反射部の具体的な種類や構成は任意であるが、例えば、感知器８００の表示灯８０１を映して、ガラス部１３３を介してＥＬＶシャフト外から、当該感知器８００の鏡像を視認可能とする鏡を、点検ボックス１の内部に反射部として設けてもよい。なお、実施の形態で説明したように、視認対象である表示灯８０１がガラス部１３３を介して直接視認できる場合も反射部を設けることが有効であるが、例えば、表示灯８０１が直接的に視認できない場合（例えば、表示灯８０１がガラス部１３３の反対側に向けられている場合）にも、反射部を設けることが有効である。このように構成した場合、反射部に映っている表示灯８０１の鏡像を視認可能にすることにより、例えば、表示灯８０１を確実に視認させることが可能となる。特に、例えば、ガラス部１３３を介して視認対象を直接的に視認することが困難である場合であっても、当該表示灯８０１の鏡像を映すことにより、当該表示灯８０１を視認させることが可能となる。
【００７５】
（隠蔽露出部について（その１））
また、上記実施の形態の点検ボックス１に隠蔽露出部をも向けてもよい。「隠蔽露出部」とは、前述の隠蔽露出手段である。図７は、変形例の点検ボックスの正面図である。この図７の点検ボックス５は、図１の点検ボックス１に対してガラス部用扉部６を設けたものであり、この点以外については、点検ボックス１と同様にして構成することができるものである。ガラス部用扉部６は、隠蔽露出部（つまり、隠蔽露出手段）であり、具体的には、非透過性のものであり、例えば、丁番６１を軸に開閉するように当該丁番６１により扉部１３に取り付けられているものであり、また、金属製のものであり、また、扉側開口部１３２よりも大径の矩形形状のものである。そして、把手６２を操作してガラス部用扉部６を開放した場合、扉側開口部１３２及びガラス部１３３が露出し、把手６２を操作してガラス部用扉部６を閉鎖した場合、扉側開口部１３２及びガラス部１３３隠蔽させることになる。このように構成した場合、ガラス部１３３を隠蔽又は露出させることにより、例えば、表示灯８０１を視認させるか否かを選択することができるので、セキュリティを向上させることが可能となる。
【００７６】
（隠蔽露出部について（その２））
また、上述の「（隠蔽露出部について（その１））」では、隠蔽露出部を、丁番を軸に開閉するように構成する場合について説明したが、これに限らず、例えば、上下方向又は左右方向にスライドすることにより開閉するように構成してもよい。あるいは、いわゆるクロミック材料（一例としては、電流又は電圧に反応して色が付く材料）を用いて隠蔽露出部を構成した上で、電気的に隠蔽又は露出を制御してもよい。
【００７７】
（封止部について）
また、上記実施の形態の図５の扉部１３における扉側開口部１３２の周囲と、ガラス部１３３との間にガスケットの如き封止部（封止手段）を設けてもよい。このように構成した場合、火災発生時に煙が漏れることを防止できる。
【００７８】
（視認可能手段について）
また、上記実施の形態では、視認可能手段の透過領域である扉側開口部１３２が正方形である場合を図示して説明したが、これに限らず、他の任意の形状（例えば、長方形、多角形、及び円形等）の透過領域を採用してもよい。また、視認可能手段について、点検ボックスの形状に応じて、開閉部以外の任意の位置（例えば、開閉部の周辺の位置等）に設けてもよい。
【００７９】
（室外表示灯について（その１））
また、上記実施の形態の図１の扉部１３に前述の室外表示灯を設けてもよい。具体的な実装手法は任意であるが、例えば、任意の光源（例えば、ＬＥＤ等）を備える室外表示灯を扉部１３におけるＥＬＶシャフトの外側の面（図４の−Ｙ方向）に設けて、感知器８００と配線することにより、感知器８００が火災を検出していない状態になっている場合（以下、「通常の場合」と称する）に消灯し、一方、感知器８００が火災を検出して発報した状態になっている場合（以下、「発報の場合」と称する）に点灯するように構成してもよい。なお、点灯又は消灯については任意に設定してよく、通常の場合に点灯し、発報の場合に消灯してもよいし、あるいは、これらの各場合で点灯色を異ならせてもよい。特に、点灯色を異ならす場合、通常の場合に緑色にて点灯し、発報の場合に赤色にて点灯してもよい。また、この室外表示灯を設ける位置は、ＥＬＶシャフトの外側に向かって発光できる限りにおいて任意である。また、室外表示灯については、視認可能手段である扉側開口部１３２及びガラス部１３３と共に設けてもよいし、当該視認可能手段の代わりに設けてもよい。あるいは、室外については、点検ボックス１とは別体として、点検ボックス１の近傍に設けてもよい。このように構成した場合、扉部１３に設けられている室外表示灯が、感知器８００の状態を発光にて表示することにより、例えば、室外表示灯を一瞥して感知器８００の状態を確認することが可能となる。また、発光にて表示することにより、例えば、点検ボックス１が比較的暗い場所に設置されている場合であっても、感知器８００の状態を確実に確認することが可能となる。
【００８０】
（室外表示灯について（その２））
また、上述の「（室外表示灯について（その１））」で説明した感知器８００と室外表示灯との相互間の電気的な接続は任意であり、例えば、図４の扉部１３に設けられた不図示の室外表示灯と取付ベース８０２の不図示の端子とを配線により相互に有線接続した上で、当該取付ベース８０２を介して感知器８００と室外表示灯とを相互に電気的に接続して、感知器８００の状態を室外表示灯側に送信するように構成してもよい。この場合、当該配線については、水平支持部１１１ａ及び垂直支持部１１１ｂに沿って配設することにより、支持部１１１を回動させる場合に当該配線が邪魔になることを防止してもよい。また、感知器８００側と室外表示灯側とに無線通信機能を設けた上で、無線通信によりこれらの各機器が相互に通信するように構成してもよい。
【００８１】
（その他の機能について）
また、上記実施の形態の表示灯８０１の画像をガラス部１３３を介して撮像し、撮像した画像を遠隔地の管理者の端末装置に転送してもよい。
【００８２】
（文言解釈について）
また、上記実施の形態では、扉側開口部１３２及びガラス部１３３が視認可能手段であるものと説明したが、これに限らず、これらの各部のうちのガラス部１３３のみが視認可能手段であるものと解釈してもよい。
【００８３】
（付記）
付記１の点検ボックスは、非透過性の壁で隔てられた対象空間に設置されている防災装置を点検するための点検ボックスであり、前記壁に設けられている前記点検ボックスであって、前記対象空間の内外を連通する前記壁の壁側開口部に設けられる本体部であって、前記対象空間の内外を連通する点検側開口部を備える前記本体部と、前記点検側開口部を開閉する開閉部と、前記開閉部が閉じている場合に、前記防災装置の状態を、前記対象空間の外部に対して表示する状態表示手段と、を備える。
【００８４】
付記２の点検ボックスは、付記１に記載の点検ボックスにおいて、前記状態表示手段は、前記防災装置の外観の少なくとも一部である視認対象を、前記対象空間の外部に対して視認可能にする視認可能手段、を備える。
【００８５】
付記３の点検ボックスは、付記２に記載の点検ボックスにおいて、前記視認可能手段は、透過性の透過領域であって前記開閉部に設けられている前記透過領域、を備える。
【００８６】
付記４の点検ボックスは、付記２又は３に記載の点検ボックスにおいて、前記視認対象の位置を表示する表示手段、を備える。
【００８７】
付記５の点検ボックスは、付記２から４の何れか一項に記載の点検ボックスにおいて、前記視認可能手段は、前記視認対象を拡大して視認可能にする。
【００８８】
付記６の点検ボックスは、付記２から５の何れか一項に記載の点検ボックスにおいて、前記視認対象を照らす照明手段、を備える。
【００８９】
付記７の点検ボックスは、付記２から６の何れか一項に記載の点検ボックスにおいて、前記視認可能手段を清掃する清掃手段、を備える。
【００９０】
付記８の点検ボックスは、付記２から７の何れか一項に記載の点検ボックスにおいて、前記防災装置を設置するための設置手段であって、前記防災装置の設置方向を変更自在とする前記設置手段、を備える。
【００９１】
付記９の点検ボックスは、付記２から８の何れか一項に記載の点検ボックスにおいて、前記視認対象の鏡像を映す反射手段、を備え、前記視認可能手段は、前記反射手段に映っている前記視認対象の鏡像を視認可能にする。
【００９２】
付記１０の点検ボックスは、付記２から９の何れか一項に記載の点検ボックスにおいて、前記視認可能手段を隠蔽又は露出させる隠蔽露出手段、を備える。
【００９３】
付記１１の点検ボックスは、付記１から１０の何れか一項に記載の点検ボックスにおいて、前記状態表示手段は、前記開閉部に設けられている室外表示灯、を備え、前記室外表示灯は、前記防災装置の状態を発光にて表示する。
【００９４】
（付記の効果）
付記１に記載の点検ボックスによれば、開閉部が閉じている場合に、防災装置の状態を、対象空間の外部に対して表示にすることにより、例えば、開閉部を開放することなく防災装置の状態を対象空間の外部に対して表示することが可能となる。特に、例えば、開閉部を開放した場合にエレベーターが停止するように構成されている場合においても、エレベーターを停止することなく防災装置の状態を視認することが可能となる。また、例えば、点検確認時に点検ボックスの開閉のための専用工具なしに確認可能となり、点検の効率化を図ることが可能となる。
【００９５】
付記２に記載の点検ボックスによれば、防災装置の外観の少なくとも一部である視認対象を、対象空間の外部に対して視認可能にすることにより、例えば、開閉部を開放することなく視認対象を視認することができ、防災装置を実際に視認させることが可能となる。
【００９６】
付記３に記載の点検ボックスによれば、視認可能手段が透過性の透過領域であって開閉部に設けられている透過領域であることにより、例えば、視認可能手段を介して視認対象を直接的に視認することが可能となる。
【００９７】
付記４に記載の点検ボックスによれば、視認対象の位置を表示することにより、例えば、視認対象を探す手間を省略することができ、視認対象を一瞥して視認することが可能となる。
【００９８】
付記５に記載の点検ボックスによれば、視認対象を拡大して視認可能にすることにより、例えば、視認対象の視認性を向上させることが可能となる。
【００９９】
付記６に記載の点検ボックスによれば、視認対象を照らすことにより、例えば、視認対象の周囲を明るくすることができ、視認対象の視認性を向上させることが可能となる。
【０１００】
付記７に記載の点検ボックスによれば、視認可能手段を清掃することにより、例えば、視認可能手段に付着している塵埃を取り除くことができ、視認対象の視認性を向上させることが可能となる。
【０１０１】
付記８に記載の点検ボックスによれば、防災装置の設置方向を変更自在とすることにより、例えば、防災装置における視認対象を視認可能手段側に向けることができ、視認対象を確実に視認させることが可能となる。
【０１０２】
付記９に記載の点検ボックスによれば、反射手段に映っている視認対象の鏡像を視認可能にすることにより、例えば、視認対象を確実に視認させることが可能となる。特に、例えば、視認可能手段を介して視認対象を直接的に視認することが困難である場合であっても、当該視認対象の鏡像を映すことにより、当該視認対象を視認させることが可能となる。
【０１０３】
付記１０に記載の点検ボックスによれば、視認可能手段を隠蔽又は露出させることにより、例えば、視認対象を視認させるか否かを選択することができるので、セキュリティを向上させることが可能となる。
【０１０４】
付記１１に記載の点検ボックスによれば、開閉部に設けられている室外表示灯が、防災装置の状態を発光にて表示することにより、例えば、室外表示灯を一瞥して防災装置の状態を確認することが可能となる。また、発光にて表示することにより、例えば、点検ボックスが比較的暗い場所に設置されている場合であっても、防災装置の状態を確実に確認することが可能となる。
【符号の説明】
【０１０５】
１  点検ボックス
５  点検ボックス
６  ガラス部用扉部
１１  本体部
１２  前面部
１３  扉部
４１  ガラス側取付具
４２  ガラス側固定具
６１  丁番
６２  把手
１１１  支持部
１１１ａ  水平支持部
１１１ｂ  垂直支持部
１１２  点検側開口部
１２１  前面側開口部
１３１  丁番
１３２  扉側開口部
１３３  ガラス部
１３４  ロック部
１３４ａ  操作部
４１１  第１端部
４１２  第２端部
８００  感知器
８０１  表示灯
８０２  取付ベース
９００  壁
９０１  壁側開口部
【図１】
2020015564.tif 000003
【図２】
2020015564.tif 000004
【図３】
2020015564.tif 000005
【図４】
2020015564.tif 000006
【図５】
2020015564.tif 000007
【図６】
2020015564.tif 000008
【図７】
2020015564.tif 000009